(57)【要約】【課題】各音声出力装置の電池寿命の均一化を図り、メンテナンスの効率化を図ること。【解決手段】プレーヤ１０と複数のスピーカ装置２１〜２６とを備えた音声データ再生システムＡにおいて、各スピーカ装置は、各部に電力を供給する電池、電池の残量を検出する検出部、検出部により検出された電池の残量を送信すると共に音声データの出力調整情報を受信する通信部、通信部により受信した出力調整情報に応じて音声データの出力レベルを調整する制御部及び増幅部を有し、プレーヤ１０は、スピーカ装置から送信された電池残量を受信すると共に音声データの出力調整情報を送信する通信部、通信部により受信した複数の電池残量を比較し、当該比較結果に基づいて判定されたスピーカ装置に対して、音声データの出力レベルを変更させる出力調整情報を送信させる制御部を有する。【選択図】図１
2009038716.tif 000002
【特許請求の範囲】
【請求項１】
音声データを無線送信する再生装置と、
前記無線送信された音声データを受信し音響信号に変換して出力する電池駆動式の複数の音声出力装置と、
を備えた音声データ再生システムにおいて、
前記音声出力装置は、
自己の電池残量を検出する検出手段と、
前記検出手段により検出された前記電池残量を前記再生装置に無線送信すると共に、前記再生装置から無線送信された前記音声データの出力レベルの変更を指示する出力調整情報を受信する第１通信手段と、
前記第１通信手段により受信した出力調整情報に応じて前記音声データの出力レベルを調整する出力制御手段と、
を有し、
前記再生装置は、
前記音声出力装置から無線送信された電池残量を受信すると共に前記出力調整情報を無線送信する第２通信手段と、
前記第２通信手段により受信された各音声出力装置の電池残量を相互に比較し、当該比較結果に基づいて判定された音声出力装置に対して出力調整情報を送信させる制御手段と、
を有する音声データ再生システム。
【請求項２】
前記制御手段は、
前記第２通信手段により受信した各音声出力装置の電池残量のうち、電池残量が最も多い音声出力装置に対して、前記音声データの出力レベルを予め設定された値だけ増加させる出力調整情報を送信させる、
請求項１に記載の音声データ再生システム。
【請求項３】
前記制御手段は、
前記音声データの出力レベルが予め設定された値だけ増加された音声出力装置に対して、当該音声出力装置の電池残量が、他の音声出力装置の電池残量よりも最も多い状態ではなくなった場合、増加させた出力レベルを増加前の出力レベルに戻す出力調整情報を送信させる、
請求項２に記載の音声データ再生システム。
【請求項４】
音声データを無線送信する再生装置と、
前記無線送信された音声データを受信し音響信号に変換して出力する電池駆動式の複数の音声出力装置と、
を備えた音声データ再生システムにおいて、
前記音声出力装置は、
自己の電池残量を検出する検出手段と、
前記検出手段により検出された前記電池残量を他の音声出力装置に送信すると共に、他の音声出力装置から無線送信される電池残量を受信する通信手段と、
前記検出手段により検出された電池残量と、前記通信手段により受信した他の音声出力装置の電池残量とを相互に比較し、当該比較結果に基づき、前記音声データの出力レベルの変更を指示する出力調整情報を出力する制御手段と、
前記制御手段から出力された出力調整情報に応じて前記自己の音声データの出力レベルを調整する出力調整手段と、
を有する音声データ再生システム。
【請求項５】
前記制御手段は、
前記検出手段により検出された電池残量が、前記通信手段により受信した他の音声出力装置の電池残量よりも最も多い場合、前記自己の音声データの出力レベルを予め設定された値だけ増加させる出力調整情報を出力する、
請求項４に記載の音声データ再生システム。
【請求項６】
前記制御手段は、
前記自己の音声データの出力レベルを予め設定された値だけ増加させた後、前記検出手段により検出された電池残量が、前記通信手段により受信した他の音声出力装置の電池残量よりも最も多い状態ではなくなった場合、増加させた出力レベルを増加前の出力レベルに戻す出力調整情報を出力する、
請求項５に記載の音声データ再生システム。
【請求項７】
音声データを無線送信する再生装置と、
前記無線送信された音声データを受信し音響信号に変換して出力する電池駆動式の複数の音声出力装置と、
を備えた音声データ再生システムにおける電池管理方法において、
自己の電池残量を検出する検出工程と、
前記検出工程により検出された前記電池残量を前記再生装置に無線送信する第１送信工程と、
前記音声出力装置から無線送信された電池残量を受信する第１受信工程と、
前記受信した各音声出力装置の電池残量を相互に比較し、当該比較結果に基づいて判定された音声出力装置に対して、音声データの出力レベルの変更を指示する出力調整情報を無線送信させる制御工程と、
前記出力調整情報を無線送信する第２送信工程と、
前記無線送信された出力調整情報を受信する第２受信工程と、
前記受信した出力調整情報に応じて前記音声データの出力レベルを調整する出力調整工程と、
を含む電池管理方法。
【請求項８】
自己の電池残量を検出する検出手段と、
前記検出手段により検出された前記電池残量を再生装置に無線送信すると共に、当該再生装置から無線送信された音声データの出力レベルの変更を指示する出力調整情報を受信する第１通信手段と、
前記第１通信手段により受信した出力調整情報に応じて前記音声データの出力レベルを調整する出力制御手段と、
を備える音声出力装置。
【請求項９】
音声出力装置から無線送信された電池残量を受信すると共に出力調整情報を無線送信する第２通信手段と、
前記第２通信手段により受信された各音声出力装置の電池残量を相互に比較し、当該比較結果に基づいて判定された音声出力装置に対して出力調整情報を送信させる制御手段と、
を備えた再生装置。
【請求項１０】
自己の電池残量を検出する検出手段と、
前記検出手段により検出された前記電池残量を他の音声出力装置に送信すると共に、他の音声出力装置から無線送信される電池残量を受信する通信手段と、
前記検出手段により検出された電池残量と、前記通信手段により受信した他の音声出力装置の電池残量とを相互に比較し、当該比較結果に基づき、自己の音声データの出力レベルの変更を指示する出力調整情報を出力する制御手段と、
前記制御手段から出力された出力調整情報に応じて前記自己の音声データの出力レベルを調整する出力調整手段と、
を備える音声出力装置。 
【発明の詳細な説明】
【技術分野】
【０００１】
本発明は、音声データ再生システム、電池管理方法、音声出力装置及び再生装置に関する。
【背景技術】
【０００２】
近年、無線通信機能の進歩や、ポータビリティの要求に伴い、無線インターフェースとデジタル音声情報を再生する機能を持つ電池内蔵型のスピーカ装置（音声出力装置）と、当該音声出力装置にデジタル音声情報等を無線送信するプレーヤ（再生装置）とからなる音声データ再生システムが知られている。
【０００３】
例えば、無線チャンネルを介して音声データを含むコンテンツを送信するコンテンツ再生装置と、当該コンテンツ再生装置から音声データを受信する無線インターフェース手段、音声データを再生する再生手段、無線インターフェース手段及び再生手段に電源を供給する電池、コンテンツ再生手段から電源の供給を受け電池を充電する電源供給手段、を有する移動型音声出力装置を複数備えたステムが開示されている（特許文献１参照）。
【特許文献１】特開２００５−７９６１４号公報
【発明の開示】
【発明が解決しようとする課題】
【０００４】
しかしながら、特許文献１のようなシステムは、移動型音声出力装置（スピーカ装置）とコンテンツ再生装置（プレーヤ）とが電源供給のために有線で接続される必要があるため、ポータビリティの要求を満たすことは難しい。
【０００５】
そこで、再生装置による各音声出力装置に内蔵された電池充電機能を除き、各音声出力装置を電池単独で駆動させると、各電池の製造時の性能誤差や駆動状況により、電池残量や電池寿命にばらつきが発生する。そのためユーザは、各音声出力装置の電池残量が尽きる度に、電池の充電や交換を行なわなくてはならず、煩雑な作業となるという問題が生じる。
【０００６】
本発明の課題は、上記問題に鑑みて、各音声出力装置の電池寿命の均一化を図り、メンテナンスの効率化を図ることである。
【課題を解決するための手段】
【０００７】
請求項１に記載の発明は、音声データを無線送信する再生装置と、前記無線送信された音声データを受信し音響信号に変換して出力する電池駆動式の複数の音声出力装置と、を備えた音声データ再生システムにおいて、前記音声出力装置は、自己の電池残量を検出する検出手段と、前記検出手段により検出された前記電池残量を前記再生装置に無線送信すると共に、前記再生装置から無線送信された前記音声データの出力レベルの変更を指示する出力調整情報を受信する第１通信手段と、前記第１通信手段により受信した出力調整情報に応じて前記音声データの出力レベルを調整する出力制御手段と、を有し、前記再生装置は、前記音声出力装置から無線送信された電池残量を受信すると共に前記出力調整情報を無線送信する第２通信手段と、前記第２通信手段により受信された各音声出力装置の電池残量を相互に比較し、当該比較結果に基づいて判定された音声出力装置に対して出力調整情報を送信させる制御手段と、を有する音声データ再生システムであることを特徴としている。
【０００８】
請求項２に記載の発明は、請求項１に記載の音声データ再生システムにおいて、前記制御手段は、前記第２通信手段により受信した各音声出力装置の電池残量のうち、電池残量が最も多い音声出力装置に対して、前記音声データの出力レベルを予め設定された値だけ増加させる出力調整情報を送信させる、ことを特徴としている。
【０００９】
請求項３に記載の発明は、請求項２に記載の音声データ再生システムにおいて、前記制御手段は、前記音声データの出力レベルが予め設定された値だけ増加された音声出力装置に対して、当該音声出力装置の電池残量が、他の音声出力装置の電池残量よりも最も多い状態ではなくなった場合、増加させた出力レベルを増加前の出力レベルに戻す出力調整情報を送信させる、ことを特徴としている。
【００１０】
請求項４に記載の発明は、音声データを無線送信する再生装置と、前記無線送信された音声データを受信し音響信号に変換して出力する電池駆動式の複数の音声出力装置と、を備えた音声データ再生システムにおいて、前記音声出力装置は、自己の電池残量を検出する検出手段と、前記検出手段により検出された前記電池残量を他の音声出力装置に無線送信すると共に、他の音声出力装置から無線送信される電池残量を受信する通信手段と、前記検出手段により検出された電池残量と、前記通信手段により受信した他の音声出力装置の電池残量とを相互に比較し、当該比較結果に基づき、前記音声データの出力レベルの変更を指示する出力調整情報を出力する制御手段と、前記制御手段から出力された出力調整情報に応じて前記自己の音声データの出力レベルを調整する出力調整手段と、を有する音声データ再生システムであることを特徴としている。
【００１１】
請求項５に記載の発明は、請求項４に記載の音声データ再生システムにおいて、前記制御手段は、前記検出手段により検出された電池残量が、前記通信手段により受信した他の音声出力装置の電池残量よりも最も多い場合、前記自己の音声データの出力レベルを予め設定された値だけ増加させる出力調整情報を出力する、ことを特徴としている。
【００１２】
請求項６に記載の発明は、請求項５に記載の音声データ再生システムにおいて、前記制御手段は、前記自己の音声データの出力レベルを予め設定された値だけ増加させた後、前記検出手段により検出された電池残量が、前記通信手段により受信した他の音声出力装置の電池残量よりも最も多い状態ではなくなった場合、増加させた出力レベルを増加前の出力レベルに戻す出力調整情報を出力する、ことを特徴としている。
【００１３】
請求項７に記載の発明は、音声データを無線送信する再生装置と、前記無線送信された音声データを受信し音響信号に変換して出力する電池駆動式の複数の音声出力装置と、を備えた音声データ再生システムにおけるバッテリー管理方法において、自己の電池残量を検出する検出工程と、前記検出工程により検出された前記電池残量を前記再生装置に無線送信する第１送信工程と、前記音声出力装置から無線送信された電池残量を受信する第１受信工程と、前記受信した各音声出力装置の電池残量を相互に比較し、当該比較結果に基づいて判定された音声出力装置に対して、音声データの出力レベルの変更を指示する出力調整情報を無線送信させる制御工程と、前記出力調整情報を無線送信する第２送信工程と、前記無線送信された出力調整情報を受信する第２受信工程と、前記受信した出力調整情報に応じて前記音声データの出力レベルを調整する出力調整工程と、を含むバッテリー管理方法であることを特徴としている。
【００１４】
請求項８に記載の発明は、自己の電池残量を検出する検出手段と、前記検出手段により検出された前記電池残量を再生装置に無線送信すると共に、当該再生装置から無線送信された音声データの出力レベルの変更を指示する出力調整情報を受信する第１通信手段と、前記第１通信手段により受信した出力調整情報に応じて前記音声データの出力レベルを調整する出力制御手段と、を備える音声出力装置であることを特徴としている。
【００１５】
請求項９に記載の発明は、音声出力装置から無線送信された電池残量を受信すると共に出力調整情報を無線送信する第２通信手段と、前記第２通信手段により受信された各音声出力装置の電池残量を相互に比較し、当該比較結果に基づいて判定された音声出力装置に対して出力調整情報を送信させる制御手段と、を備えた再生装置であることを特徴としている。
【００１６】
請求項１０に記載の発明は、自己の電池残量を検出する検出手段と、前記検出手段により検出された前記電池残量を他の音声出力装置に送信すると共に、他の音声出力装置から無線送信される電池残量を受信する通信手段と、前記検出手段により検出された電池残量と、前記通信手段により受信した他の音声出力装置の電池残量とを相互に比較し、当該比較結果に基づき、自己の音声データの出力レベルの変更を指示する出力調整情報を出力する制御手段と、前記制御手段から出力された出力調整情報に応じて前記自己の音声データの出力レベルを調整する出力調整手段と、を備える音声出力装置であることを特徴としている。
【発明の効果】
【００１７】
本発明によれば、各音声出力装置の電池寿命の均一化を図り、メンテナンスの効率化を図ることができる。
【発明を実施するための最良の形態】
【００１８】
［実施の形態１］
以下、図を参照して本発明の実施の形態１を詳細に説明する。
まず、構成を説明する。
図１に、本実施の形態１における音声データ再生システムＡにおける各装置の配置図例を示す。
【００１９】
図１に示すように、本実施の形態１における音声データ再生システムＡは、音声データを無線送信する再生装置としてのプレーヤ１０と、無線送信された音声データを受信し音響信号に変換して出力する電池駆動式の複数の音声出力装置としての複数のスピーカ装置２１〜２６とを備えて構成される５．１ｃｈサラウンド方式のシステムである。
【００２０】
図１に示す複数のスピーカ装置２１〜２６は、プレーヤ１０の前方の左右に設けられた左チャンネル用フロントスピーカ装置２１、右チャンネル用フロントスピーカ装置２２と、プレーヤ１０の前方正面に設けられたセンタースピーカ装置２３と、プレーヤ１０の後方の左右に設けられた左チャンネル用リアスピーカ装置２４、右チャンネル用リアスピーカ装置２５と、低音専用のサブウーファースピーカ装置２６とする。
【００２１】
本実施の形態１におけるプレーヤ１０は、音声データを各スピーカ装置２１〜２６に無線送信し、また、音声データの出力レベルの変更を指示する出力調整情報を送信する。そして、各スピーカ装置２１〜２６は、プレーヤ１０から受信した音声データを出力調整情報に基づいて出力し、また、内蔵する自己の電池の電池残量を示す信号をプレーヤ１０に送信する。図１に示す片矢印は音声データの通信を示し、白抜き矢印は出力調整情報及び電池残量の通信を示す。
【００２２】
図２に、実施の形態１におけるプレーヤ１０の制御ブロック図を示す。
図２に示すように、プレーヤ１０は、制御部１１０、メモリ１２０、操作部１３０、表示部１４０、ＣＤ（Compact Disc）／ＤＶＤ（Digital Versatile Disk）ドライブ１５０、ＨＤＤ（Hard Disk Drive）１６０、通信部１７０、音声データ送信部１８０、を備えて構成されており、各部は電気的に接続されている。
【００２３】
制御部１１０は、ＣＰＵ（Central Processing Unit）等から構成されており、メモリ１２０に記憶されている各種制御プログラムをメモリ１２０内の展開領域に展開して、これら制御プログラムとの協働により演算を行い、プレーヤ１０内の各部を統括的に制御する。特に、操作部１３０からの指示に従って、ＣＤ／ＤＶＤドライブ１５０に格納されたＣＤ又はＤＶＤ、又はＨＤＤ１６０に記憶されている音声データを読み出し、当該音声データを音声データ送信部１８０を介して各スピーカ装置に送信する。
【００２４】
また、制御部１１０は、通信部１７０により受信した各スピーカ装置の電池残量を相互に比較し、当該比較結果に基づいて判定されたスピーカ装置に対して、音声データの出力レベルの変更を指示する出力調整情報を送信させ、音声データ再生システムＡ内における電池管理処理を実行するメモリ１２０に記憶されているプログラムを実行して制御手段としての機能を実現する。
【００２５】
本実施の形態１における電池管理処理としては、通信部１７０により受信した各スピーカ装置の電池残量のうち、電池残量が最も多いスピーカ装置に対して、音声データの出力レベルを予め設定された値だけ増加させる出力調整情報を送信させ、また、音声データの出力レベルを予め設定された値だけ増加させたスピーカ装置に対して、当該スピーカ装置の電池残量が、他のスピーカ装置の電池残量よりも最も多い状態ではなくなった場合、増加させた出力レベルを減少させて増加前の出力レベルに戻す出力調整情報を送信させる処理である。
【００２６】
予め設定された値は、本音声データ再生システムＡにおいて音声データを視聴するユーザが音声データの出力レベル（例えば、音量）の変化に気が付かない程度の値である。例えば、ユーザの年齢、各スピーカ装置とユーザとの距離、性別等の条件に基づく実験データにより、統計学的に定めることができる。
【００２７】
メモリ１２０は、ＲＯＭ（Read Only Memory）、ＲＡＭ（Random Access Memory）や不揮発性メモリ等から構成されており、各種制御プログラムや、電池管理処理を実行するプログラム、その他必要なデータが予め記憶されていると共に、各プログラムが実行されることにより生成される各種データや通信部１７０から受信した各スピーカ装置の電池残量や各スピーカ装置の出力レベルを一時的に記憶する。
【００２８】
操作部１３０は、電源スイッチ、数字や文字等の入力キーや、各種メニューを選択する選択キー等の各種キー等により構成されており、押下されたキーに対応する押下信号を、制御部１１０に出力する。
【００２９】
表示部１４０は、ＬＣＤ（Liquid Crystal Display）やＬＥＤ（Light Emitting Diode）等によって構成され、制御部１１０から送信される表示データに基づいて各種情報を表示する。
【００３０】
ＣＤ／ＤＶＤドライブ１５０は、操作部１３０からの指示に従って、ＣＤ又はＤＶＤに記憶されている音声データを読み出す。ＨＤＤ１６０は、操作部１３０からの指示に従って、予め記憶している音声データを読み出す。ＣＤ／ＤＶＤドライブ１５０又はＨＤＤ１６０から読み出された音声データは、制御部１１０によって音声データ送信部１８０からスピーカ装置に送信される。
【００３１】
通信部１７０は、各スピーカ装置と無線通信を相互に行うインターフェースを有し、各スピーカ装置から無線送信された電池残量を受信すると共に、出力調整情報を無線送信する第２通信手段としての機能を実現する。なお、通信方式は、双方向無線通信、単方向赤外線通信等であることが好ましい。
【００３２】
音声データ送信部１８０は、各スピーカ装置と無線通信を行うインターフェースを有し、各スピーカ装置に対して音声データを無線送信する。なお、通信方式は、無線通信、単方向赤外線通信等であることが好ましい。
【００３３】
図３に、本実施の形態１におけるスピーカ装置の制御ブロック図の一例として、左チャンネル用フロントスピーカ装置２１の制御ブロック図を示す。
図３に示すように、左チャンネル用フロントスピーカ装置２１は、制御部２１０、メモリ２１１、検出部２１２、通信部２１３、音声データ受信部２１４ａ、Ｄ／Ａ変換部２１４ｂ、増幅部２１４ｃ、スピーカユニット２１４ｄを備えて構成され、各部は電気的に接続されており、電池２１５からの電力の供給を受ける。
【００３４】
制御部２１０は、ＣＰＵ（Central Processing Unit）等から構成されており、メモリ２１１に記憶されている各種制御プログラムをメモリ２１１内の展開領域に展開して、これら制御プログラムとの協働により演算を行い、左チャンネル用フロントスピーカ装置２１内の各部を統括的に制御する。
【００３５】
また、制御部２１０は、検出部２１２により検出された電池２１５の端子電圧値を電池残量として取得し、当該電池残量を通信部２１３を介してプレーヤ１０に無線送信させる電池残量送信処理を実行するメモリ１２０に記憶されている各プログラムを実行する。更に、通信部２１３を介してプレーヤ１０から受信した出力調整情報に応じて音声データの出力レベルを設定し、当該設定値を増幅部に出力して音声データの出力レベルを調整させる出力調整処理を実行するメモリ１２０に記憶されている各プログラムを実行し、増幅部２１４ｃとの協働によって出力調整手段としての機能を実現する。
【００３６】
なお、本実施の形態１における電池残量は、電池２１５の端子電圧値とするが、当該電池２１５の電池充電完了時における端子電圧値に対する検出時の端子電圧値の割合でもよい。
【００３７】
メモリ２１１は、ＲＯＭ（Read Only Memory）、ＲＡＭ（Random Access Memory）や不揮発性メモリ等から構成されており、各種制御プログラムや、電池残量送信処理、出力調整処理を実行するプログラム、その他必要なデータが予め記憶されていると共に、各プログラムが実行されることにより生成される各種データや通信部２１３から受信した出力調整情報を一時的に記憶する。
【００３８】
検出部２１２は、電池２１５の端子電圧値を検出し、検出した端子電圧値をＡ／Ｄ変換した後、電池残量として制御部２１０に出力する。
【００３９】
通信部２１３は、プレーヤ１０と無線通信を相互に行うインターフェースを有し、プレーヤ１０から無線送信された出力調整情報を受信すると共に、検出部２１２により検出された電池残量をプレーヤ１０に無線送信する第１通信手段としての機能を実現する。なお、通信方式は、双方向無線通信、単方向赤外線通信等であることが好ましい。
【００４０】
音声データ受信部２１４ａは、プレーヤ１０と無線通信を行うインターフェースを有し、プレーヤ１０から無線送信される音声データを受信し、受信した音声データをＤ／Ａ変換部２１４ｂに出力する。なお、通信方式は、無線通信、単方向赤外線通信等であることが好ましい。
【００４１】
Ｄ／Ａ変換部２１４ｂは、入力されたデジタル信号の音声データをアナログ信号に変換し、増幅部２１４ｃに出力する。
【００４２】
増幅部２１４ｃは、Ｄ／Ａ変換部２１４ｂから入力されたアナログ信号の音声データの出力レベル（音量）を制御部２１０から入力される出力調整情報に基づいて増加又は減少させるアンプであり、スピーカユニット２１４ｄに出力する。
増幅部２１４ｃにおいて、出力調整情報に基づく音声データの出力レベル（音量）が増加されることにより、電池残量の消費が変更前よりも早まり、出力レベル（音量）が減少されることにより、電池残量の消費が変更前よりも遅くなる。
【００４３】
スピーカユニット２１４ｄは、増幅部２１４ｃから入力された音声データを出力する。
【００４４】
電池２１５は、繰り返し充電して使用することができる二次電池が好ましく、例えば、ニッケルカドミウム電池、ニッケル水素電池、リチウムイオン電池等を挙げることができるが、小型で軽量、かつ体積エネルギー密度、重量エネルギー密度が高いリチウムイオン電池であることが好ましい。
【００４５】
なお、右チャンネル用フロントスピーカ装置２２、センタースピーカ装置２３、左チャンネル用リアスピーカ装置２４、右チャンネル用リアスピーカ装置２５、サブウーファースピーカ装置２６の制御ブロック図は、スピーカユニットの構成が異なる以外は左チャンネル用フロントスピーカ装置２１と同様であるため、図示及び説明は省略する。
【００４６】
次に、本実施の形態１の動作を説明する。
図４に、本実施の形態１における各スピーカ装置が個別に実行する電池残量送信処理のフローチャートを示す。
図４に示す電池残量送信処理は、左チャンネル用フロントスピーカ装置２１において実行される電池残量送信処理を示しており、電池２１５からの電力供給が得られる期間、繰り返し実行される処理であり、制御部２１０とメモリ２１１内に記憶されているプログラムや当該スピーカ装置の各部との協働によって実行されるものとする。
【００４７】
まず、検出部２１２により、電池２１５の端子電圧値が検出される（ステップＳ１）。検出された端子電圧値は、電池残量として取得され、当該電池残量は通信部２１３を介してプレーヤ１０に送信され（ステップＳ２）、ステップＳ１に戻る。
【００４８】
図５に、本実施の形態１における各スピーカ装置が個別に実行する出力調整処理のフローチャートを示す。
図５に示す出力調整処理は、左チャンネル用フロントスピーカ装置２１において実行される出力調整処理を示しており、電池２１５からの電力供給が得られる期間、繰り返し実行される処理であり、制御部２１０とメモリ２１１内に記憶されているプログラムや当該スピーカ装置の各部との協働によって実行されるものとする。
【００４９】
まず、通信部２１３により出力調整情報が受信されたか否か、即ち、音声データの出力レベルの変更指示が有るか否かが判別され（ステップＳ１１）、出力調整情報が受信されていない場合（ステップＳ１１；Ｎｏ）、ステップＳ１１に戻る。
【００５０】
出力調整情報が受信された場合（ステップＳ１１；Ｙｅｓ）、出力調整情報に応じて音声データの出力レベルが変更（増加又は減少）され（ステップＳ１２）、ステップＳ１１に戻る。
【００５１】
なお、右チャンネル用フロントスピーカ装置２２、センタースピーカ装置２３、左チャンネル用リアスピーカ装置２４、右チャンネル用リアスピーカ装置２５、サブウーファースピーカ装置２６が実行する電池残量送信処理及び出力調整処理は、左チャンネル用フロントスピーカ装置２１の電池残量送信処理及び出力調整処理と同様であるため、図示及び説明は省略する。
【００５２】
図６、図７に、本実施の形態１における電池管理処理のフローチャートを示す。
図６、図７に示す電池管理処理は、プレーヤ１０の制御部１１０とメモリ１２０内に記憶されているプログラムや各部との協働によって実行されるものであり、プレーヤ１０の電源スイッチが入っている期間、繰り返し実行される処理とする。
【００５３】
まず、通信部１７０を介して各スピーカ装置から無線送信された電池残量が受信され、各スピーカ装置の電池残量が取得される（ステップＳ２１）。
【００５４】
そして、各スピーカ装置の電池残量が相互に比較され、各スピーカ装置の電池残量に差があるか否かが判別され（ステップＳ２２）、差が無い場合、即ち、全てのスピーカ装置の電池残量が等しい場合（ステップＳ２２；Ｎｏ）、ステップＳ２１に戻る。
【００５５】
各スピーカ装置の電池残量に差がある場合（ステップＳ２２；Ｙｅｓ）、左チャンネル用フロントスピーカ装置の電池残量が他のスピーカ装置の電池残量よりも最も多いか否かが判別され（ステップＳ２３）、左チャンネル用フロントスピーカ装置の電池残量が他のスピーカ装置の電池残量よりも最も多い状態ではない場合（ステップＳ２３；Ｎｏ）、ステップＳ２７に進む。
【００５６】
左チャンネル用フロントスピーカ装置の電池残量が他のスピーカ装置の電池残量よりも多い場合（ステップＳ２３；Ｙｅｓ）、左チャンネル用フロントスピーカ装置に対して通信部１７０を介して出力調整情報が送信され、当該出力調整情報に応じて左チャンネル用フロントスピーカ装置から発せられる音声データの出力レベルが増加される（ステップＳ２４）。
【００５７】
ステップＳ２４後、通信部１７０を介して取得された左チャンネル用フロントスピーカ装置の電池残量が取得され、当該取得された左チャンネル用フロントスピーカ装置の電池残量が他のスピーカ装置の電池残量よりも最も多いか否かが判別され（ステップＳ２５）、左チャンネル用フロントスピーカ装置の電池残量が他のスピーカ装置の電池残量よりも最も多い場合（ステップＳ２５；Ｙｅｓ）、ステップＳ２５に戻る。
【００５８】
左チャンネル用フロントスピーカ装置の電池残量が他のスピーカ装置の電池残量よりも最も多い状態ではない場合（ステップＳ２５；Ｎｏ）、左チャンネル用フロントスピーカ装置に対して通信部１７０を介して出力調整情報が送信され、当該出力調整情報に応じて左チャンネル用フロントスピーカ装置から発せられる音声データの出力レベルが減少され、左チャンネル用フロントスピーカ装置から発せられる音声データの出力レベルは、増加される前（ステップＳ２４前）の出力レベルに復帰され（ステップＳ２６）、ステップＳ２１に戻る。
【００５９】
ステップＳ２３；Ｎｏ後、右チャンネル用フロントスピーカ装置の電池残量が他のスピーカ装置の電池残量よりも最も多いか否かが判別され（ステップＳ２７）、右チャンネル用フロントスピーカ装置の電池残量が他のスピーカ装置の電池残量よりも最も多い状態ではない場合（ステップＳ２７；Ｎｏ）、ステップＳ３１に進む。
【００６０】
右チャンネル用フロントスピーカ装置の電池残量が他のスピーカ装置の電池残量よりも多い場合（ステップＳ２７；Ｙｅｓ）、右チャンネル用フロントスピーカ装置に対して通信部１７０を介して出力調整情報が送信され、当該出力調整情報に応じて右チャンネル用フロントスピーカ装置から発せられる音声データの出力レベルが増加される（ステップＳ２８）。
【００６１】
ステップＳ２８後、通信部１７０を介して取得された右チャンネル用フロントスピーカ装置の電池残量が取得され、当該取得された右チャンネル用フロントスピーカ装置の電池残量が他のスピーカ装置の電池残量よりも最も多いか否かが判別され（ステップＳ２９）、右チャンネル用フロントスピーカ装置の電池残量が他のスピーカ装置の電池残量よりも最も多い場合（ステップＳ２９；Ｙｅｓ）、ステップＳ２９に戻る。
【００６２】
右チャンネル用フロントスピーカ装置の電池残量が他のスピーカ装置の電池残量よりも最も多い状態ではない場合（ステップＳ２９；Ｎｏ）、右チャンネル用フロントスピーカ装置に対して通信部１７０を介して出力調整情報が送信され、当該出力調整情報に応じて右チャンネル用フロントスピーカ装置から発せられる音声データの出力レベルが減少され、右チャンネル用フロントスピーカ装置から発せられる音声データの出力レベルは、増加される前（ステップＳ２８前）の出力レベルに復帰され（ステップＳ３０）、ステップＳ２１に戻る。
【００６３】
ステップＳ２７；Ｎｏ後、左チャンネル用リアスピーカ装置の電池残量が他のスピーカ装置の電池残量よりも最も多いか否かが判別され（ステップＳ３１）、左チャンネル用リアスピーカ装置の電池残量が他のスピーカ装置の電池残量よりも最も多い状態ではない場合（ステップＳ３１；Ｎｏ）、ステップＳ３５に進む。
【００６４】
左チャンネル用リアスピーカ装置の電池残量が他のスピーカ装置の電池残量よりも多い場合（ステップＳ３１；Ｙｅｓ）、左チャンネル用リアスピーカ装置に対して通信部１７０を介して出力調整情報が送信され、当該出力調整情報に応じて左チャンネル用リアスピーカ装置から発せられる音声データの出力レベルが増加される（ステップＳ３２）。
【００６５】
ステップＳ３２後、通信部１７０を介して取得された左チャンネル用リアスピーカ装置の電池残量が取得され、当該取得された左チャンネル用リアスピーカ装置の電池残量が他のスピーカ装置の電池残量よりも最も多いか否かが判別され（ステップＳ３３）、左チャンネル用リアスピーカ装置の電池残量が他のスピーカ装置の電池残量よりも最も多い場合（ステップＳ３３；Ｙｅｓ）、ステップＳ３３に戻る。
【００６６】
左チャンネル用リアスピーカ装置の電池残量が他のスピーカ装置の電池残量よりも最も多い状態ではない場合（ステップＳ３３；Ｎｏ）、左チャンネル用リアスピーカ装置に対して通信部１７０を介して出力調整情報が送信され、当該出力調整情報に応じて左チャンネル用リアスピーカ装置から発せられる音声データの出力レベルが減少され、左チャンネル用リアスピーカ装置から発せられる音声データの出力レベルは、増加される前（ステップＳ３２前）の出力レベルに復帰され（ステップＳ３４）、ステップＳ２１に戻る。
【００６７】
ステップＳ３１；Ｎｏ後、右チャンネル用リアスピーカ装置の電池残量が他のスピーカ装置の電池残量よりも最も多いか否かが判別され（ステップＳ３５）、右チャンネル用リアスピーカ装置の電池残量が他のスピーカ装置の電池残量よりも最も多い状態ではない場合（ステップＳ３５；Ｎｏ）、ステップＳ３９に進む。
【００６８】
右チャンネル用リアスピーカ装置の電池残量が他のスピーカ装置の電池残量よりも多い場合（ステップＳ３５；Ｙｅｓ）、右チャンネル用リアスピーカ装置に対して通信部１７０を介して出力調整情報が送信され、当該出力調整情報に応じて右チャンネル用リアスピーカ装置から発せられる音声データの出力レベルが増加される（ステップＳ３６）。
【００６９】
ステップＳ３６後、通信部１７０を介して取得された右チャンネル用リアスピーカ装置の電池残量が取得され、当該取得された右チャンネル用リアスピーカ装置の電池残量が他のスピーカ装置の電池残量よりも最も多いか否かが判別され（ステップＳ３７）、右チャンネル用リアスピーカ装置の電池残量が他のスピーカ装置の電池残量よりも最も多い場合（ステップＳ３７；Ｙｅｓ）、ステップＳ３７に戻る。
【００７０】
右チャンネル用リアスピーカ装置の電池残量が他のスピーカ装置の電池残量よりも最も多い状態ではない場合（ステップＳ３７；Ｎｏ）、右チャンネル用リアスピーカ装置に対して通信部１７０を介して出力調整情報が送信され、当該出力調整情報に応じて右チャンネル用リアスピーカ装置から発せられる音声データの出力レベルが減少され、右チャンネル用リアスピーカ装置から発せられる音声データの出力レベルは、増加される前（ステップＳ３６前）の出力レベルに復帰され（ステップＳ３８）、ステップＳ２１に戻る。
【００７１】
ステップＳ３５；Ｎｏ後、センタースピーカ装置の電池残量が他のスピーカ装置の電池残量よりも最も多いか否かが判別され（ステップＳ３９）、センターピーカーの電池残量が他のスピーカ装置の電池残量よりも最も多い状態ではない場合（ステップＳ３９；Ｎｏ）、ステップＳ４３に進む。
【００７２】
センタースピーカ装置の電池残量が他のスピーカ装置の電池残量よりも多い場合（ステップＳ３９；Ｙｅｓ）、センタースピーカ装置に対して通信部１７０を介して出力調整情報が送信され、当該出力調整情報に応じてセンタースピーカ装置から発せられる音声データの出力レベルが増加される（ステップＳ４０）。
【００７３】
ステップＳ４０後、通信部１７０を介して取得されたセンタースピーカ装置の電池残量が取得され、当該取得されたセンタースピーカ装置の電池残量が他のスピーカ装置の電池残量よりも最も多いか否かが判別され（ステップＳ４１）、センタースピーカ装置の電池残量が他のスピーカ装置の電池残量よりも最も多い場合（ステップＳ４１；Ｙｅｓ）、ステップＳ４１に戻る。
【００７４】
センタースピーカ装置の電池残量が他のスピーカ装置の電池残量よりも最も多い状態ではない場合（ステップＳ４１；Ｎｏ）、センタースピーカ装置に対して通信部１７０を介して出力調整情報が送信され、当該出力調整情報に応じてセンタースピーカ装置から発せられる音声データの出力レベルが減少され、センタースピーカ装置から発せられる音声データの出力レベルは、増加される前（ステップＳ４０前）の出力レベルに復帰され（ステップＳ４２）、ステップＳ２１に戻る。
【００７５】
ステップＳ３９；Ｎｏ後、サブウーファースピーカ装置に対して通信部１７０を介して出力調整情報が送信され、当該出力調整情報に応じてサブウーファースピーカ装置から発せられる音声データの出力レベルが増加される（ステップＳ４３）。
【００７６】
ステップＳ４３後、通信部１７０を介して取得されたサブウーファースピーカ装置の電池残量が取得され、当該取得されたサブウーファースピーカ装置の電池残量が他のスピーカ装置の電池残量よりも最も多いか否かが判別され（ステップＳ４４）、サブウーファースピーカ装置の電池残量が他のスピーカ装置の電池残量よりも最も多い場合（ステップＳ４４；Ｙｅｓ）、ステップＳ４４に戻る。
【００７７】
サブウーファースピーカ装置の電池残量が他のスピーカ装置の電池残量よりも最も多い状態ではない場合（ステップＳ４４；Ｎｏ）、サブウーファースピーカ装置に対して通信部１７０を介して出力調整情報が送信され、当該出力調整情報に応じてサブウーファースピーカ装置から発せられる音声データの出力レベルが減少され、サブウーファースピーカ装置から発せられる音声データの出力レベルは、増加される前（ステップＳ４３前）の出力レベルに復帰され（ステップＳ４５）、ステップＳ２１に戻る。
【００７８】
以上、本実施の形態１によれば、電池残量の最も多いスピーカ装置に対して、音声データの出力レベル（例えば、音量）を増加させることにより、他のスピーカ装置よりも電池残量の消費を早めることができる。そのため、電池残量の最も多いスピーカ装置の電池残量を、他のスピーカ装置の電池残量に近づけることができる。
【００７９】
更に、出力レベル（例えば、音量）を増加させたスピーカ装置の電池残量が他のスピーカ装置の電池残量よりも最も多い状態ではなくなった場合には、変更前の出力レベルの状態に戻すことができるため、音声データ再生システム内の全てのスピーカ装置の電池残量が０になるタイミングを等しくすることができる。そのため、ユーザは全てのスピーカ装置の電池充電を同じ機会に行なうことができる。
【００８０】
従って、各スピーカ装置の電池残量の均一化、即ち、電池寿命の均一化を図ることができ、また、メンテナンスの効率化を図ることができる。
【００８１】
なお、本実施の形態１において、電池残量が最も多いスピーカ装置の出力レベルを予め設定された値だけ増加させ、当該スピーカ装置の電池残量が他のスピーカ装置の電池残量よりも最も多い状態ではなくなった場合には、出力レベルを減少させて増加前の出力レベルに戻す処理を説明したが、電池残量が最も少ないスピーカ装置の出力レベルを予め設定された値だけ減少させ、当該スピーカ装置の電池残量が他のスピーカ装置の電池残量よりも最も少ない状態ではなくなった場合には、出力レベルを増加させて減少前の出力レベルに戻す処理としてもよい。
【００８２】
［実施の形態２］
以下、図を参照して本発明の実施の形態２を詳細に説明する。
まず、構成を説明する。
図８に、本実施の形態２における音声データ再生システムＢにおける各装置の配置図例を示す。
【００８３】
図８に示すように、本実施の形態２における音声データ再生システムＢは、音声データを無線送信する再生装置としてのプレーヤ３０と、無線送信された音声データを受信し音響信号に変換して出力する電池駆動式の複数の音声出力装置としての複数のスピーカ装置４１〜４６とを備えて構成される５．１ｃｈサラウンド方式のシステムである。
【００８４】
図８に示す複数のスピーカ装置４１〜４６は、プレーヤ３０の前方の左右に設けられた左チャンネル用フロントスピーカ装置４１、右チャンネル用フロントスピーカ装置４２と、プレーヤ３０の前方正面に設けられたセンタースピーカ装置４３と、プレーヤ３０の後方の左右に設けられた左チャンネル用リアスピーカ装置４４、右チャンネル用リアスピーカ装置４５と、低音専用のサブウーファースピーカ装置４６とする。
【００８５】
本実施の形態２におけるプレーヤ３０は、音声データを各スピーカ装置４１〜４６に無線送信する。各スピーカ装置４１〜４６は、プレーヤ１０から受信した音声データを出力調整情報に基づいて出力し、また、内蔵する自己の電池の電池残量を示す信号を他のスピーカ装置に送信すると共に、他のスピーカ装置の電池残量を示す信号を受信する。図１に示す片矢印は音声データの通信を示し、白抜き矢印は電池残量の通信を示す。
【００８６】
図９に、実施の形態２におけるプレーヤ３０の制御ブロック図を示す。
図９に示すプレーヤ３０は、制御部３１０、メモリ３２０、操作部１３０、表示部１４０、ＣＤ（Compact Disc）／ＤＶＤ（Digital Versatile Disk）ドライブ１５０、ＨＤＤ（Hard Disk Drive）１６０、通信部１７０、音声データ送信部１８０、を備えて構成されており、各部は電気的に接続されている。なお、図９に示すプレーヤ３０は、図２に示す実施の形態１におけるプレーヤ１０と同様な部分には同一の番号を付して説明は省略する。
【００８７】
制御部３１０は、ＣＰＵ（Central Processing Unit）等から構成されており、メモリ３２０に記憶されている各種制御プログラムをメモリ３２０内の展開領域に展開して、これら制御プログラムとの協働により演算を行い、プレーヤ３０内の各部を統括的に制御する。特に、操作部１３０からの指示に従って、ＣＤ／ＤＶＤドライブ１５０に格納されたＣＤ又はＤＶＤ、又はＨＤＤ１６０に記憶されている音声データを読み出し、当該音声データを音声データ送信部１８０を介して各スピーカ装置に送信する。
【００８８】
メモリ３２０は、ＲＯＭ（Read Only Memory）、ＲＡＭ（Random Access Memory）や不揮発性メモリ等から構成されており、各種制御プログラム、その他必要なデータが予め記憶されていると共に、各プログラムが実行されることにより生成される各種データを一時的に記憶する。
【００８９】
図１０に、本実施の形態２におけるスピーカ装置の制御ブロック図の一例として、左チャンネル用フロントスピーカ装置４１の制御ブロック図を示す。
図１０に示すように、左チャンネル用フロントスピーカ装置４１は、制御部４１０、メモリ４１１、検出部２１２、通信部４１３、音声データ受信部４１４ａ、信号処理部４１４ｅ、Ｄ／Ａ変換部４１４ｂ、増幅部２１４ｃ、スピーカユニット２１４ｄを備えて構成され、各部は電気的に接続されており、電池２１５からの電力の供給を受ける。なお、図１０に示す左チャンネル用フロントスピーカ装置４１は、図３に示す実施の形態１における左チャンネル用フロントスピーカ装置４１と同様な部分には同一の番号を付し、説明は省略する。
【００９０】
制御部４１０は、ＣＰＵ（Central Processing Unit）等から構成されており、メモリ４１１に記憶されている各種制御プログラムをメモリ４１１内の展開領域に展開して、これら制御プログラムとの協働により演算を行い、左チャンネル用フロントスピーカ装置４１内の各部を統括的に制御する。
【００９１】
また、制御部４１０は、検出部２１２により検出された電池２１５の端子電圧値を電池残量として取得し、当該電池残量を通信部４１３を介して他のスピーカ装置に無線送信させる電池残量送信処理を実行するメモリ４１１に記憶されている各プログラムを実行する。
更に、検出部２１２により検出された電池残量と、通信部４１３により受信した他のスピーカ装置の電池の残量とを相互に比較し、当該比較結果に基づき、音声データの出力レベルの変更を指示する出力調整情報を増幅部２１４ｃに出力し、自己の音声データの出力レベルを調整する電池管理処理を実行するメモリ４１１に記憶されているプログラムを実行し、制御手段としての機能を実現する。
【００９２】
なお、本実施の形態２における電池残量は、実施の形態１と同様に、電池２１５の端子電圧値をするが、当該電池２１５の電池充電完了時における端子電圧値に対する検出時の端子電圧値の割合でもよい。
【００９３】
本実施の形態２における電池管理処理としては、検出部２１２により検出された電池の残量が、通信部４１３により受信した他のスピーカ装置の電池の残量よりも最も多い場合、増幅部２１４ｃに音声データの出力レベルを予め設定された値だけ増加させる出力調整情報を指示し、また、音声データの出力レベルを予め設定された値だけ増加させた後、検出部２１２により検出された電池残量が、通信部４１３により受信した他のスピーカ装置の電池の残量よりも最も多い状態ではなくなった場合、増幅部２１４ｃに増加させた出力レベルを増加前の出力レベルに戻す出力調整情報を出力する処理である。
【００９４】
予め設定された値は、本音声データ再生システムＢにおいて音声データを視聴するユーザが音声データの出力レベル（例えば、音量）の変化に気が付かない程度の値である。例えば、ユーザの年齢、各スピーカ装置とユーザとの距離、性別等の条件に基づく実験データにより、統計学的に定めることができる。
【００９５】
メモリ４１１は、ＲＯＭ（Read Only Memory）、ＲＡＭ（Random Access Memory）や不揮発性メモリ等から構成されており、各種制御プログラムや、電池残量送信処理、電池管理処理を実行するプログラム、その他必要なデータが予め記憶されていると共に、各プログラムが実行されることにより生成される各種データや通信部４１３から受信した各スピーカ装置の電池残量や自己の出力レベルを一時的に記憶する。
【００９６】
通信部４１３は、各スピーカ装置と無線通信を相互に行うインターフェースを有し、検出部２１２により検出された自己の電池残量を無線送信すると共に、他のスピーカ装置から無線送信される電池残量を受信する通信手段としての機能を実現する。なお、通信方式は、双方向無線通信、単方向赤外線通信等であることが好ましい。
【００９７】
音声データ受信部４１４ａは、プレーヤ１０と無線通信を行うインターフェースを有し、プレーヤ１０から無線送信される音声データを受信し、受信した音声データを信号処理部４１４ｅに出力する。なお、通信方式は、無線通信、単方向赤外線通信等であることが好ましい。
【００９８】
信号処理部４１４ｅは、ＤＳＰ（Digital Signal Processor）等により構成されており、音声データ受信部４１４ａから入力された音声データに対し、制御部４１０からの指示に基づいて信号処理を施し、当該音声データをＤ／Ａ変換部４１４ｂに出力する。この信号処理部４１４ｅで実行される信号処理としては、例えば、フィルタ処理、サウンド効果やアリーナ効果の特殊効果処理、等の各種信号処理である。
【００９９】
Ｄ／Ａ変換部４１４ｂは、信号処理部４１４ｅから入力されたデジタル信号の音声データをアナログ信号に変換し、増幅部２１４ｃに出力する。
【０１００】
増幅部２１４ｃは、Ｄ／Ａ変換部２１４ｂから入力されたアナログ信号の音声データの出力レベル（音量）を制御部２１０から入力される出力調整情報に基づいて増加又は減少させ、スピーカユニット２１４ｄに出力する。
増幅部２１４ｃにおいて、出力調整情報に基づく音声データの出力レベル（音量）が増加されることにより、電池残量の消費が変更前よりも早まり、出力レベル（音量）が減少されることにより、電池残量の消費が変更前よりも遅くなる。
【０１０１】
なお、右チャンネル用フロントスピーカ装置４２、センタースピーカ装置４３、左チャンネル用リアスピーカ装置４４、右チャンネル用リアスピーカ装置４５、サブウーファースピーカ装置４６の制御ブロック図は、スピーカユニットの構成が異なる以外は左チャンネル用フロントスピーカ装置４１と同様であるため、図示及び説明は省略する。
【０１０２】
次に、本実施の形態２の動作を説明する。
本実施の形態２における各スピーカ装置が個別に実行する電池残量送信処理のフローチャートは、実施の形態１の図４に示す電池残量送信処理において、電池残量の送信先がプレーヤに替えて音声データ再生システムＢにおける他のスピーカ装置であること以外は、同様であるため、図示及び説明は省略する。
【０１０３】
図１１に、本実施の形態２における電池管理処理のフローチャートを示す。
図１１に示す電池管理処理は、左チャンネル用フロントスピーカ装置４１において実行される電池残量送信処理を示しており、電池２１５からの電力供給が得られる期間、繰り返し実行される処理であり、制御部４１０とメモリ４１１内に記憶されているプログラムや当該スピーカ装置の各部との協働によって実行されるものとする。
【０１０４】
まず、通信部４１３を介して各スピーカ装置から無線送信された電池残量が受信され、各スピーカ装置の電池残量が取得されると共に、検出部２１２により、電池２１５の端子電圧値が検出され、検出された電池電圧値は、自己の電池残量として取得される（ステップＳ５１）。
【０１０５】
そして、自己の電池残量と、他のスピーカ装置の電池残量とが相互に比較され、自己の電池残量が他のスピーカ装置の電池残量よりも最も多いか否かが判別され（ステップＳ５２）、自己の電池残量が他のスピーカ装置の電池残量よりも最も多い状態ではない場合、即ち、いずれかの他のスピーカ装置の電池残量が自己の電池残量よりも多い場合（ステップＳ５２；Ｎｏ）、ステップＳ５１に戻る。
【０１０６】
自己の電池残量が他のスピーカ装置の電池残量よりも最も多い場合（ステップＳ５２；Ｙｅｓ）、出力調整情報に応じて増幅部２１４ｃにより、音声データの出力レベルが増加される（ステップＳ５３）。
【０１０７】
ステップＳ５３後、通信部４１３を介して各スピーカ装置から無線送信された電池残量が受信され、各スピーカ装置の電池残量が取得されると共に、検出部２１２により、電池２１５の端子電圧値が検出され、検出された端子電圧値は、自己の電池残量として取得される。そして、自己の電池残量と、他のスピーカ装置の電池残量とが比較され、自己の電池残量が他のスピーカ装置の電池残量よりも最も多いか否かが判別され（ステップＳ５４）、自己の電池残量が他のスピーカ装置の電池残量よりも最も多い場合（ステップＳ５４；Ｙｅｓ）、ステップＳ５４に戻る。
【０１０８】
自己の電池残量が他のスピーカ装置の電池残量よりも最も多い状態ではない場合、即ち、いずれかの他のスピーカ装置の電池残量が自己の電池残量よりも多い場合（ステップＳ５４；Ｎｏ）、出力調整情報に応じて、増幅部２１４ｃによる出力レベルが増加される前（ステップＳ５３前）の出力レベルに戻る量だけ減少され、左チャンネル用フロントスピーカ装置から発せられる音声データの出力レベルが、増加される前（ステップＳ５３前）の出力レベルに復帰され（ステップＳ５５）、ステップＳ５１に戻る。
【０１０９】
なお、右チャンネル用フロントスピーカ装置４２、センタースピーカ装置４３、左チャンネル用リアスピーカ装置４４、右チャンネル用リアスピーカ装置４５、サブウーファースピーカ装置４６が実行する電池残量送信処理及び電池管理処理は、左チャンネル用フロントスピーカ装置４１の電池残量送信処理及び電池管理処理と同様であるため、図示及び説明は省略する。
【０１１０】
以上、本実施の形態２によれば、スピーカ装置自己の電池残量が他のスピーカ装置の電池残量よりも多い場合、自己の音声データの出力レベルを増加させることにより、他のスピーカ装置よりも電池残量の消費を早めることができる。そのため、スピーカ装置自己の電池残量を他のスピーカ装置の電池残量に近づけることができる。
各スピーカ装置の電池残量の均一化、即ち、電池寿命の均一化を図ることができる。
【０１１１】
更に、自己の出力レベルを増加させた後、自己の電池残量が他のスピーカ装置の電池残量よりも最も多い状態ではなくなった場合には、変更前の出力レベルの状態に戻すことができるため、自己の電池残量が０になるタイミングが他のスピーカ装置と等しくなる。そのため、ユーザは全ての出力装置の電池充電を同じ機会に行なうことができる。
【０１１２】
従って、各スピーカ装置の電池残量の均一化、即ち、電池寿命の均一化を図ることができ、また、電池メンテナンスの効率化を図ることができる。
【０１１３】
なお、本実施の形態２において、自己の電池残量が他のスピーカ装置の電池残量よりも最も多い場合、自己の出力レベルを予め設定された値だけ増加させ、また、増加させた後に、自己の電池残量が他のスピーカ装置の電池残量よりも最も多い状態ではなくなった場合には、出力レベルを減少させて増加前の出力レベルに戻す処理を説明したが、自己の電池残量が他のスピーカ装置の電池残量よりも最も少ない場合、自己の出力レベルを予め設定された値だけ減少させ、また、減少させた後に、自己の電池残量が他のスピーカ装置の電池残量よりも最も少ない状態ではなくなった場合には、出力レベルを増加させて減少前の出力レベルに戻す処理としてもよい。
【０１１４】
その他、上記実施の形態１及び２における音声データ再生システムの細部構成及び詳細動作に関しても、本発明の趣旨を逸脱しない範囲で適宜変更可能である。
【図面の簡単な説明】
【０１１５】
【図１】実施の形態１における音声データ再生システムにおける各装置の配置図例である。
【図２】実施の形態１におけるプレーヤの制御ブロック図である。
【図３】実施の形態１における左チャンネル用フロントスピーカ装置２１の制御ブロック図である。
【図４】実施の形態１における電池残量送信処理のフローチャートである。
【図５】実施の形態１における出力調整処理のフローチャートである。
【図６】実施の形態１における電池管理処理のフローチャートである。
【図７】実施の形態１における電池管理処理のフローチャートである（図６の続き）。
【図８】実施の形態２における音声データ再生システムＢにおける各装置の配置図例である。
【図９】実施の形態２におけるプレーヤ３０の制御ブロック図である。
【図１０】実施の形態２における左チャンネル用フロントスピーカ装置４１の制御ブロック図である。
【図１１】実施の形態２における電池管理処理のフローチャートである。
【符号の説明】
【０１１６】
１０、３０  プレーヤ
２１、４１  左チャンネル用フロントスピーカ装置
２２、４２  右チャンネル用フロントスピーカ装置
２３、４３  センタースピーカ装置
２４、４４  左チャンネル用リアスピーカ装置
２５、４５  右チャンネル用リアスピーカ装置
２６、４６  サブウーファースピーカ装置
１１０、３１０  制御部
１２０、３２０  メモリ
１３０  操作部
１４０  表示部
１５０  ＣＤ／ＤＶＤドライブ
１６０  ＨＤＤ
１７０  通信部
１８０  音声データ送信部
２１０、４１０  制御部
２１１、４１１  メモリ
２１２  検出部
２１３、４１３  通信部
２１４ａ、４１４ａ  音声データ受信部
２１４ｂ、４１４ｂ  Ｄ／Ａ変換部
２１４ｃ  増幅部
２１４ｄ  スピーカユニット
４１４ｅ  信号処理部
Ａ、Ｂ  音声データ再生システム
【図１】
2009038716.tif 000003
【図２】
2009038716.tif 000004
【図３】
2009038716.tif 000005
【図４】
2009038716.tif 000006
【図５】
2009038716.tif 000007
【図６】
2009038716.tif 000008
【図７】
2009038716.tif 000009
【図８】
2009038716.tif 000010
【図９】
2009038716.tif 000011
【図１０】
2009038716.tif 000012
【図１１】
2009038716.tif 000013